(57)【特許請求の範囲】
【請求項１】
第一次側端子部分と第二次側端子部分とを有し、前記第一次側端子部分に出力部を構成する１以上の端子が配置され、前記第二次側端子部分に入力部を構成する１以上の端子が配置されていると共に、前記第一次側端子部分の出力部を構成する端子と前記第二次側端子部分の入力部を構成する端子とがリレー部で接続されている端子台において、
前記リレー部は、当該リレー部を出力部側リレー部と入力部側リレー部とに分かつ中断部が形成されていると共に、
前記リレー部の前記第一次側端子部分と前記第二次側端子部分とのうち前記第二次側端子部分を覆う開閉部材を有し、
前記開閉部材は、
前記第二次側端子部分と前記入力部側リレー部とを覆うために揺動することにより、前記リレー部の中断部に差し込まれて、前記第一次側端子部分の端子と前記第二次側端子部分の端子との間を通電し、前記第二次側端子部分と前記入力部側リレー部とを開放するために揺動することにより、前記リレー部の中断部から離れて、前記第一次側端子部分の端子と前記第二次側端子部分の端子との間を断電させる断路用部を有し、
前記端子台の面と対峙する主壁部及びこの主壁部の周縁から前記端子台の面側に向けて延びる側壁部から成るカバー部材を有し、このカバー部材の主壁部に検査用器具の線状部分を挿通可能な内径寸法の貫通孔が形成され、
更に、前記断路用部を、前記カバー部材の内側面から延出した絶縁性の素材から成る突起部の延出方向の先端に設けられたものとし、前記開閉部材の側方から見て端子台側の辺の方が端子台側とは反対側の辺よりも大きな略台形状とすると共に、
前記リレー部は、
前記中断部で形成される空間部を、前記開閉部材の側方から見て端子台側の辺の方が端子台側とは反対側の辺よりも大きな略台形状としたことを特徴とする端子台。
【発明の詳細な説明】
【技術分野】
【０００１】
この発明は、例えばサイクリックデジタルデータ伝送装置やデータ転送装置等の各種情報通信装置等に用いられる情報要素の取込みに係る端子台に関するものであって、特に電線・ケーブル等の配線接続作業を行うにあたって、かかる配線接続作業の安全性の向上を図った端子台の構造に関するものである。
【背景技術】
【０００２】
特許文献１に示される遠方監視制御装置は、例えば伝送方式としてＣＤＴ（Cyclic  Data  Transfer：サイクリックデジタル伝送）方式等を用いた情報通信装置の一種であるところ、当該特許文献１の図１の概略図に示されるように端子台を備えた構造となっている。
【０００３】
そして、端子台に対し、例えば特許文献２等に示されるように、第１次側（例えば入力側）の電気ケーブルの先端に設けられた端子接続ターミナルが端子台の入力側端子を構成する雄螺子に係合され、第２次側（例えば出力側）の電気ケーブルの先端に設けられた端子接続ターミナルが端子台の出力側端子を構成する雄螺子に係合される一方で、これら入出力側端子間には凹部が設けられて、この凹部に対し断路ブロックを脱着することにより、入力側端子と出力側端子とが通電、断電する構成の発明は既に公知となっている。
【０００４】
また、端子コネクタにおいて、防水、防塵及び絶縁機能を有する保護カバーが端子コネクタの本体に対しその上面開口を開閉するように装着された構成の発明が、例えば特許文献３等に示されるように既に公知となっている。
【特許文献１】特開２００７−２０２６１号公報
【特許文献２】特開平１０−２８９７４４号公報
【特許文献３】実用新案登録第３１０８３５１号公報
【発明の開示】
【発明が解決しようとする課題】
【０００５】
もっとも、特許文献１に示されるような遠方監視制御装置では、端子台は、情報通信機器の背面等の比較的見え難い場所で且つ壁面との間が相対的に狭い場所に配置されていることが多いので、端子台での配線の接続作業のためのスペースが確保されず、接続作業も手探りとなりやすいことから、作業環境が十分に良いとはいえない状況にある。
【０００６】
このような必ずしも良的でない作業環境下にありながら、遠方監視制御装置の停電状態回避等の見地により端子台の端子に直流電圧がかかった状態のまま配線接続作業を行うケースがあり、このケースでは作業者の誤った動作が原因で地絡や短絡を生じて作業者が感電するおそれがある。また、作業者が感電した際に、そのときの衝撃や驚きで、作業者が端子台に螺子等の金属部品を落下させてしまい、これが原因で配線同士を短絡させるおそれもある。
【０００７】
これに対し、特許文献２に示される断路機能付き端子装置では、断路ブロックを外せば入力側端子と出力側端子との間が断電するので、入力側端子又は出力側端子における配線接続作業を感電のおそれなく行うことができる一方で、作業に集中していると、この断路ブロックの取り外しを忘れて配線接続作業をしてしまい、その結果として、上記と同様に作業者が感電するおそれがある。
【０００８】
また、特許文献３に示される保護カバーを有する端子コネクタは、第１次側端子部分と第２次側端子部分とで端子が配置された構成に対応しているものではなく、しかも、配線作業を保護カバーが開いた状態で行うところ、保護カバーが開いた状態では端子台の各端子に直流電圧がかかった状態で配線接続作業を行う際に、作業者の誤った動作が原因で地絡や短絡を生じて作業者が感電するおそれについて何ら解決する構成とはなっていない。
【０００９】
そこで、本発明は、例えば情報通信装置等で用いられる端子台において電線・ケーブル等の配線接続作業を行う際に、端子台の各端子に直流電圧がかかった状態であっても、作業対象となる第一次側端子部分の端子と第二次側端子部分の端子との間では確実に断電させることが可能な端子台を提供することを目的とする。
【課題を解決するための手段】
【００１０】
この発明に係る端子台は、第一次側端子部分と第二次側端子部分とを有し、前記第一次側端子部分に出力部を構成する１以上の端子が配置され、前記第二次側端子部分に入力部を構成する１以上の端子が配置されていると共に、前記第一次側端子部分の出力部を構成する端子と前記第二次側端子部分の入力部を構成する端子とがリレー部で接続されている端子台において、前記リレー部は、当該リレー部を出力部側リレー部と入力部側リレー部とに分かつ中断部が形成されていると共に、前記リレー部の前記第一次側端子部分と前記第二次側端子部分とのうち前記第二次側端子部分を覆う開閉部材を有し、前記開閉部材は、前記第二次側端子部分と前記入力部側リレー部とを覆うために揺動することにより、前記リレー部の中断部に差し込まれて、前記第一次側端子部分の端子と前記第二次側端子部分の端子との間を通電し、前記第二次側端子部分と前記入力部側リレー部とを開放するために揺動することにより、前記リレー部の中断部から離れて、前記第一次側端子部分の端子と前記第二次側端子部分の端子との間を断電させる断路用部を有し、前記端子台の面と対峙する主壁部及びこの主壁部の周縁から前記端子台の面側に向けて延びる側壁部から成るカバー部材を有し、このカバー部材の主壁部に検査用器具の線状部分を挿通可能な内径寸法の貫通孔が形成され、更に、前記断路用部を、前記カバー部材の内側面から延出した絶縁性の素材から成る突起部の延出方向の先端に設けられたものとし、前記開閉部材の側方から見て端子台側の辺の方が端子台側とは反対側の辺よりも大きな略台形状とすると共に、前記リレー部は、前記中断部で形成される空間部を、前記開閉部材の側方から見て端子台側の辺の方が端子台側とは反対側の辺よりも大きな略台形状としたことを特徴としている（請求項１）。
【００１１】
これにより、第一次側端子部分の端子と第二次側端子部分の端子とでの配線接続作業時には、開閉部材を開かないと作業を行うことができないところ、この開閉部材を開いた場合には、この開閉部材が有する断路用部も開閉部材に従ってリレー部の中断部から離れるので、常に前記第一次側端子部分の端子と前記第二次側端子部分の端子との間を断電させることとなる。
【００１２】
さらに、第一次側端子部分の端子又は第二次側端子部分の端子の電圧測定又は試験時における接点パスを行うときに、第一次側端子部分の端子又は第二次側端子部分の端子を開閉部材で覆ったままでも、テスター測定棒等の検査手段の線状部を貫通孔から挿入して測定を行うことができる。
【発明の効果】
【００１３】
以上のように、この発明によれば、第一次側端子部分の端子と第二次側端子部分の端子とでの配線接続作業時には開閉部材を開いて作業を行うため、この開閉部材が有する断路用部も開閉部材に従ってリレー部の中断部から離れるので、配線接続作業中は、当該作業対象となる第一次側端子部分の端子と第二次側端子部分の端子との間が常に断電状態となることから、作業者が誤った動作を行っても作業員が感電することがなく、これに伴い、感電した作業者が端子台の内部に螺子等の金属部品を落下させる事態もなくなる。
【００１４】
また、この発明によれば、第一次側端子部分の端子又は第二次側端子部分の端子の電圧測定又は試験時における接点パスを行うにあたり、第一次側端子部分の端子又は第二次側端子部分の端子を開閉部材で覆ったままでも、テスター測定棒等の検査手段の線状部を貫通孔から挿入して測定を行うことができるので、検査・測定作業の簡便化を図ることが可能である。
【発明を実施するための最良の形態】
【００１５】
以下、この発明の実施形態の一例を、図面に基づいて説明する。
【００１６】
図１において、データ伝送装置１の一例についての概略構成が示されている。このデータ伝送装置は、データの伝送方式として例えばＣＤＴ（Cyclic  Data  Transfer：サイクリックデジタル伝送）方式が採用されているもので、この実施例では、入力装置２、出力装置３、演算装置４、インターフェース５、管理装置６及び電源７を有すると共に、これらの入力装置２、出力装置３、演算装置４、インターフェース５、管理装置６及び電源７は、各々バス８、９と接続されて構成されており、それ自体では公知のものである。
【００１７】
そして、入力装置２は、この実施例では、図１及び図２に示されるように、バス８、９と接続するための配線１０が集束されて収納されたケーブル１１が連結される継手部１３と、図示しない外部と接続するためのケーブル１２が連結される継手部１４とが設けられた筐体１５を有して構成されている。
【００１８】
そして、この入力装置２の筐体１５は、図２に示されるように作業等に簡便なように開口部１６が開口しており、この開口部１６を介して外部と連通した筐体１５の内部空間１７には、端子台１８を備えた装置本体２０が収納されている。装置本体２０の構造は公知であるためその説明は省略する。また、開口部１６は、例えば筐体１５の背面等で、且つ入力装置２を設置した際に壁面との間が相対的に狭くなる位置に開口しているのが通常であるが、必ずしもこれに限定されず、筐体１５の前面側に開口していても良い。
【００１９】
端子台１８は、図２に示されるように、第一次側端子部分２２と第二次側端子部分２３とを有し、第一次側端子部分２２側には例えば６個以上の出力部２４（２４ａ乃至２４ｆ）が図上で横一列状に配置されていると共に、第二次側端子部分２３側にも第一次側端子部分２２の出力部２４に応じて例えば６個以上の入力部２５（２５ａ乃至２５ｆ）が図上で横一列状に配置されている。この第一次側端子部分２２の出力部２４と第二次側端子部分２３の入力部２５とは、図上縦に多列的に並んでいると共に図上で縦列関係にある出力部２４と入力部２５とは導電性を有するリレー部２６及び後述する断路用部７４を介して通常時において接続されたものとなっている。尚、リレー部２６は、導電性に優れた金属を素材とした薄いプレート状のものであっても、配線に使用する導線等の線状のものであっても良い。
【００２０】
そして、この実施例では、図３に示されるように、出力部２４ａは、端子４４を介してケーブル１１から延びる導線２８と接続されていると共に、出力部２４ｃとは、端子４５、４６及び端子４５、４６を連結する導線２９を介して接続されている。出力部２４ｂは端子４７を介してケーブル１１から延びる導線３０と接続されている。また、出力部２４ｃは、端子４８、図示しない端子及び端子４８と図示しない端子とを連結する導線３１を介して出力部２４ｅと接続されている。出力部２４ｄは、端子４９を介してケーブル１１から延びる導線３２と接続されている。尚、図２で示される出力部２４ｅは、端子の用い方において出力部２４ｃと同様であり、同じく図２で示される出力部２４ｆは、端子の用い方において出力部２４ｂ、２４ｄと同様であるので、図示しせず、且つその説明を省略する。
【００２１】
さらに、この実施例では、図２及び図３に示されるように、入力部２５ａ乃至２５ｄは、端子５０乃至５３を介して装置本体２０に延びる導線３５乃至４０と接続されている。尚、図２で示される入力部２５ｅ、２５ｆは、端子の用い方において入力部２５ａ乃至２５ｄと同様であるので、図示しせず、且つその説明を省略する。
【００２２】
ここで、端子台１８に配置されている出力部２４、入力部２５の数は上記した６個以上に限定されず、また、ケーブル１１と出力部２４との接続との仕方、出力部２４間の接続の仕方、及び入力部２５と装置本体２０との接続の仕方についても、必ずしも上記の説明した接続状態に限定されない。
【００２３】
次に、端子台１８に配置される出力部２４、入力部２５のうちその一例として出力部２４ｂと入力部２５ｂとについて図４を用いて説明する。
【００２４】
出力部２４ｂを構成する端子４７は、導線性を有する素材で形成され、その先端に貫通孔５５が形成された環状部５６を有し、リレー部２６とは、特に図４（ｂ）に示されるリレー部２６に形成された貫通孔５７と環状部５６の貫通孔５５とを連通させた状態におき、この貫通孔５５、５７に螺子５８を挿通させ、当該螺子５８を端子台１８の第一次側端子部分２２に螺子止めすることで固定される。他の出力部２４も、出力部２４ｂと差異がなく、あっても、複数の端子４４、４５又は４６、４８の貫通孔５５とリレー部２６の貫通孔５７とを連通させて螺子５８を貫通孔５５、５７に螺子５８を挿通させ、当該螺子５８を端子台１８の第一次側端子部分２２に螺子止めするという差異しか有しないので、特に図示せず且つその説明も省略する。
【００２５】
入力部２５ｂを構成する端子５１も、導線性を有する素材で形成され、その先端に貫通孔６０が形成された環状部６１を有し、リレー部２６とは、特に図４（ｂ）に示されるリレー部２６に形成された貫通孔６２と  環状部６１の貫通孔６２とを連通させた状態におき、この貫通孔６０、６２に螺子６３を挿通させ、当該螺子６３を端子台１８の第二次側端子部分２３に螺子止めすることで固定される。他の入力部２５は、入力部２５ｂと差異がないので、特に図示せず且つその説明も省略する。
【００２６】
ところで、リレー部２６は、図４（特に図４（ｃ））に示されるように、中断部６５が導線３０、３５の軸方向と交差する方向に延びて、これにより、リレー部２６は、出力部２４ｂ側のリレー部２６ａと入力部２５ｂ側のリレー部２６ｂとに完全に分離されている。また、中断部６５で形成される空間は、後述する断路用部７４が抜き差し容易な形状、例えば、側方から見て端子台１８側の辺の方が端子台１８側とは反対側の辺よりも大きな略台形状をなしている。
【００２７】
そして、この実施例では、リレー部２６のうち中断部６５の近傍部位から入力部２５ｂ側端までの範囲と、入力部２５ｂを構成する端子５１の環状部６１と、螺子６３とを、下記するカバー部材６７で覆うことが可能な開閉部材６６が端子台１８に取り付けられている。
【００２８】
この開閉部材６６は、端子台１８の面と対峙する主壁部６７ａ及び、この壁部の周縁から端子台１８の面側に向けて延びる側壁部６７ｂから成るカバー部材６７と、このカバー部材６７の側壁部６７ｂのうち導線３０、３５の軸方向と略同じ方向に延びる部位で且つ出力部２４ｂ側に回転軸６９を介して連結された１対の台座６８とを有して構成されている。カバー部材６７、台座６８は、絶縁性の素材で形成されている。
【００２９】
これにより、図４及び図５に示されるように、開閉部材６６は、側壁部６７ｂの反主壁部側の縁面が端子台１８の面と略並行になる位置、すなわち、開閉部材６６が端子台１８の面に沿った位置から側壁部６７ｂの反主壁部側の縁面が端子台１８の面に対し略垂直となる位置、すなわち、開閉部材６６が端子台１８の面に対し立った位置までの範囲で揺動することができる。
【００３０】
カバー部材６７は、端子台１８の面に沿った位置となる際には、リレー部２６のうち中断部６５の近傍部位から入力部２５ｂ側端までの範囲と、入力部２５ｂを構成する端子５１の環状部６１と、螺子６３とを覆う、開閉部材６６が閉じた状態となるが、側壁部６７ｂの反主壁部側の縁面は端子台１８の面に突当せず、リレー部２６の厚み分の略隙間が形成される。これにより、開閉部材６６が閉じた際に、カバー部材６７の側壁部６７ｂと端子台１８の面とでリレー部２６を噛むことが回避され、且つカバー部材６７が回転軸６９を中心に揺動するための遊びが確保される。
【００３１】
また、カバー部材６７の側壁部６７ｂのうち出力部２４ｂ側において、図４（ｂ）及び図５に示されるように、リレー部２６の略横幅分の内幅を有する切欠き部７０を形成しても良く、これにより、カバー部材６７の側壁部６７ｂと端子台１８の面との隙間の寸法精度を厳密にとる必要がなくなる。
【００３２】
更に、カバー部材６７は、カバー部材６７の側壁部６７ｂと端子台１８の面とに隙間を設けることに伴い、カバー部材６７のガタツキを防止するために側壁部６７ｂのうち入力部２５ｂ側の部位が端子台１８の面に向けて延出して延出部７１が形成されており、図４（ａ）に示されるように、カバー部材６７が閉じる際に端子台１８の面と延出部７１とが当接するようになっている。この延出部７１は、図４（ｂ）及び図５に示されるように、端子５１の外径寸法若しくは導線３５の外径寸法と略同じ大きさの切欠き部７２が形成されており、これにより、開閉部材６６が閉じた際に、延出部７１が端子台１８の面と当接しても、この延出部７１と端子台１８の面とでリレー部２６を噛むことが回避される。
【００３３】
更にまた、カバー部材６７は、図４（ｂ）及び図５で示されるように、主壁部６７ａの内側面から絶縁性の素材で形成された突起部７３が延出し、この突起部７３の延出方向の先端には導電性を有する素材で形成された断路用部７４が設けられている。この断路用部７４は、中断部６５の空間の形状に対応して、リレー部２６ａ、２６ｂの面に確実に当接すると同時にこの中断部６５から抜き差し容易な形状、例えば、側方から見て端子台１８側の辺の方が端子台１８側とは反対側の辺よりも大きな略台形状をなしている。
【００３４】
他の出力部２４ａ、２４ｃ、２４ｄ、２４ｅ、２４ｆ及び入力部２５ａ、２５ｃ、２５ｄ、２５ｅ，２４ｆについては、リレー部２６が中断部６５を有する点、開閉部材６６の配置、構成において、図４に示される出力部２４ｂ、入力部２５ｂとほぼ同様であるので、特に図示して説明しない。
【００３５】
以上の構成によれば、開閉部材６６が閉じた状態では、各々のカバー部材６７に設けられた断路用部７４は、リレー部２６の中断部６５で形成された空間内にリレー部２６ａの中断部６５側面とリレー部２６ｂの中断部６５側面とに接した状態にあるので、出力部２４と入力部２５との間を通電させることができ、これに対し、カバー部材６７を揺動して、開閉部材６６を開くと、各々のカバー部材６７に設けられた断路用部７４は、リレー部２６の中断部６５から離れ、リレー部２６ａの中断部６５側面とリレー部２６ｂの中断部６５側面とから離れた状態にあるので、出力部２４と入力部２５との間を断電させることができる。
【００３６】
これに伴い、例えば、入力部２５ｂについて配線接続作業として端子５１の螺子６３に対する交換、装填のための脱着を行う場合には、端子台１８の全体では、各端子に直流電圧がかかった状態であっても、カバー部材６７を端子台１８の面から立たせるかたちに常に揺動して開閉部材６６を開くので、出力部２４ｂと入力部２５ｂとの間は断電するので、作業者は感電することがない。
【００３７】
一方で、開閉部材６６を構成するカバー部材６７は、この実施例では、図４（ｂ）及び図５に示されるように、主壁部６７ａに貫通孔７５が形成されており、この貫通孔７５の開口はリレー部２６の中断部６５以外の部位と対峙している。これにより、図示しないテスターの測定棒を貫通孔７５から挿入してリレー部２６に当接させることができるので、カバー部材６７を揺動しなくても検査を行うことが可能である。
【００３８】
最後に、この発明に係る端子台１８を所定のデータ伝送装置１の入力装置２に用いるものとして説明してきたが、必ずしもこれに限定されず、第一次側端子部分２２と第二次側端子部分２３とを有する端子台１８を用いた情報通信装置、その他の装置で、各端子に直流電圧がかかった状態での配線接続作業を求められる場合の全てに用いられる。
【図面の簡単な説明】
【００３９】
【図１】図１は、この発明に係る端子装置を用いたデータ伝送装置の概略構成を示した説明図である。
【図２】図２は、同上の端子装置を備える入力装置の概略構成を示した説明図である。
【図３】図３は、同上の端子装置の第二次側端子部分、第二次側端子部分、リレー部及び開閉部材について、開閉部材が閉じた状態を正面から見た様子を示した説明図である。
【図４】図４（ａ）は、同上の端子装置の第二次側端子部分、第二次側端子部分、リレー部及び開閉部材について、開閉部材が閉じた状態を側方から見た様子を示した説明図、図４（ｂ）は、同上の端子装置の第二次側端子部分、第二次側端子部分、リレー部及び開閉部材について、開閉部材が閉じた状態を側方から見た様子を示した断面図、図４（ｃ）は、同上の端子装置の第二次側端子部分、第二次側端子部分、リレー部及び開閉部材について、開閉部材が開いた状態を側方から見た様子を示した説明図である。
【図５】図５は、同上の開閉部材について、開いた状態と閉じた状態とを単独で示した説明図である。
【符号の説明】
【００４０】
１８  端子台
２２  第一次側端子部分
２３  第二次側端子部分
２４  出力部
２５  入力部
２６  リレー部
４４から４９  端子
５０から５３  端子
６５  中断部
６６  開閉部材
７４  断路用部
７５  貫通孔
【図１】
0005084582.tif 000002
【図２】
0005084582.tif 000003
【図３】
0005084582.tif 000004
【図４】
0005084582.tif 000005
【図５】
0005084582.tif 000006